(57)【要約】【課題】最冷点の放熱性を向上させることにより、光出力を向上できる無電極放電灯および照明器具を提供する。【解決手段】バルブ１１はカプラ１４に連結されて設けられているネット３１によって覆われるので、バルブ１１が爆縮破壊した場合でも、バルブ１１の破片が飛散するのを防止することができる。このため、照明器具２０内で使用する際に、破片の飛散防止のために照明器具２０を密閉する必要がなく、器具内の温度の上昇を抑えることができる。これに伴い、最冷点１２の放熱性が向上して、光出力の向上を図ることができる。【選択図】図２
2009238452.tif 000002
【特許請求の範囲】
【請求項１】
略球状のバルブと、前記バルブから突出するディンプル部とを備える無電極放電灯であって、
前記バルブを支持するカプラに連結されて前記バルブを覆うネットを備えることを特徴とする無電極放電灯。
【請求項２】
前記ネットが、前記ディンプル部を被覆するキャップ部を備え、
前記ネットおよび前記キャップ部が熱伝導性を有していることを特徴とする請求項１に記載の無電極放電灯。
【請求項３】
前記ネットが、前記ディンプル部を挿通する挿通孔を備え、
前記ネットが熱伝導性を有していることを特徴とする請求項１に記載の無電極放電灯。
【請求項４】
請求項１ないし請求項３のうちのいずれかに記載した無電極放電灯を備える照明器具。
【発明の詳細な説明】
【技術分野】
【０００１】
本発明は、バルブから突出するディンプル部を備えた無電極放電灯およびこの無電極放電灯を用いた照明器具に関するものである。
【背景技術】
【０００２】
従来より、電極を持たないため、電極の劣化によるランプ切れのない無電極放電灯および照明器具が知られている（例えば特許文献１参照）。
【０００３】
図８に示すように、特許文献１に記載の無電極放電灯１００では、蛍光体膜１０１が形成された略電球形状のバルブ１０２を有しており、バルブ１０２の外表面の一部（図３においては頂部）から外側に向かって突出する突出部（ディンプル部）１０７が設けられている。また、バルブ１０２の内部には、バルブ１０２の内方に突出したキャビティ１０３と、キャビティ１０３の底部１０４からキャビティ１０３の開口１０５に向かって延びる排気管１０６と、Ｚｎ−Ｈｇアマルガム１０８が収納された金属容器１０９とを有している。バルブ１０２の下端部（図３において下端部）は、カプラ１１０により封止されて支持されている。
【０００４】
図９には、前述した無電極放電灯１００を用いた照明器具１１１が示されている。この照明器具１１１は、無電極放電灯１００のカプラ１１０を上にして、ディンプル部１０７が下に位置する状態で無電極放電灯１００を下向き（重力の方向）に取付けて点灯するベースアップ照明器具である。前述した無電極放電灯１００は、このようなベースアップ照明器具１１１に用いられて点灯した時に、最冷点温度が確保され、高い光出力を得ることができるように考慮されている。
【特許文献１】特開２００５−３４６９８３（図１、段落００１２）
【発明の開示】
【発明が解決しようとする課題】
【０００５】
ところで、一般に、前述したような無電極放電灯１００を用いた照明器具１１１においては、爆縮破壊して破片が飛散する虞があるため、反射板１１２と前面透過板１１３とに囲まれた閉塞空間内に配置されることが多い。
しかしながら、照明器具１１１の内部を密閉すると、無電極放電灯１００から発せられる熱が器具内部にこもって、最冷点となるディンプル部１０７の温度が上昇し、光出力が低下するという問題がある。この問題は、無電極放電灯１００が高出力タイプになるほど顕著になり、改善が求められている。
【０００６】
本発明は、従来の問題を解決するためになされたもので、最冷点の放熱性を向上させることにより、光出力を向上できる無電極放電灯および照明器具を提供することを目的とする。
【課題を解決するための手段】
【０００７】
本発明の無電極放電灯は、略球状のバルブと、前記バルブから突出するディンプル部とを備える無電極放電灯であって、前記バルブを支持するカプラに連結されて前記バルブを覆うネットを備えた構成を有している。
【０００８】
この構成により、バルブはカプラに連結されて設けられているネットによって覆われるので、バルブが爆縮破壊した場合でも、バルブの破片が飛散するのを防止することができる。このため、照明器具内で使用する際に、破片の飛散防止のために照明器具を密閉する必要がなく、器具内の温度の上昇を抑えることができる。これに伴い、最冷点の放熱性が向上して、光出力の向上を図ることができる。
【０００９】
また、本発明の無電極放電灯は、前記ネットが、前記ディンプル部を被覆するキャップ部を備え、前記ネットおよび前記キャップ部が熱伝導性を有する構成を有している。
【００１０】
この構成により、バルブを覆うネット及びディンプル部を覆うキャップ部が熱伝導性を有しているので、バルブの発した熱を外部に放出することができるとともに、ディンプル部の熱を外部に放出して冷却することができる。
【００１１】
さらに、本発明の無電極放電灯は、前記ネットが、前記ディンプル部を挿通する挿通孔を備え、前記ネットが熱伝導性を有する構成を有している。
【００１２】
この構成により、バルブを覆うネットが熱伝導性を有しているので、バルブの発した熱を外部に放出することができるとともに、ディンプル部は挿通孔からネットの外に露出することができるので、ディンプル部を冷却することができる。
【００１３】
さらに、本発明の照明器具は、前述したいずれかの無電極放電灯を備えた構成を有している。
【００１４】
この構成により、照明器具に用いるバルブは、カプラに連結されて設けられているネットによって覆われるので、バルブが爆縮破壊した場合でも、バルブの破片が飛散するのを防止することができる。このため、照明器具内で使用する際に、破片の飛散防止のために照明器具を密閉する必要がなく、器具内の温度の上昇を抑えることができる。これに伴い、最冷点の放熱性が向上して、光出力の向上を図ることができる。
【発明の効果】
【００１５】
本発明は、バルブはカプラに連結されて設けられているネットによって覆われるので、バルブが爆縮破壊した場合でも、バルブの破片が飛散するのを防止することができる。このため、照明器具内で使用する際に、破片の飛散防止のために照明器具を密閉する必要がなく、器具内の温度の上昇を抑えることができる。これに伴い、最冷点の放熱性が向上して、光出力の向上を図ることができるという効果を有する無電極放電灯および照明器具を提供することができるものである。
【発明を実施するための最良の形態】
【００１６】
以下、本発明の実施形態にかかる無電極放電灯および照明器具について、図面を用いて説明する。
【００１７】
（第１実施形態）
図１は本発明の第１実施形態にかかる無電極放電灯および照明器具を示す断面図、図２は第１実施形態にかかる無電極放電灯を用いた照明装置の斜視図である。
【００１８】
図１に示すように、無電極放電灯１０は略球状のバルブ１１を有しており、このバルブ１１の表面（ここでは、下端部の表面）から図１中下方へ向かって突出する最冷点であるディンプル部１２を有している。そして、バルブ１１を支持するカプラ１４に連結されて、バルブ１１を覆うネット３１が設けられている。
【００１９】
バルブ１１は、例えばガラス材料等の透明材料を略球状に加工したものであり、内面には蛍光体膜が形成されている。また、バルブ１１の上端部には口金１３が設けられており、この口金１３の上方には、バルブ１１を保持するとともにバルブ１１と点灯回路（図示省略）とを電気的に結合するカプラ１４が取付けられている。
【００２０】
図示はしないが、カプラ１４内部には、高周波電流の供給により高周波電磁界を発生させる誘導コイルやアマルガム等が設けられており、高周波電磁界によってバルブ１１内の電子を加速し、加速された電子がアマルガムの金属原子（水銀（Ｈｇ））に衝突して紫外線が放出されるようになっている。この紫外線がバルブ１１内面の蛍光体膜によって可視光に変換されて、外部に放出される。
【００２１】
すなわち、水銀蒸気圧によって光出力が制御されることになる。図１に示すように、カプラ１４を上にして点灯するベースアップ点灯時には、下方にあるディンプル部１２に水銀が溜まるので、ディンプル部１２の温度（最冷点の温度）によって水銀蒸気圧が制御され、光出力が変化することになる。このため、最冷点の温度をできるだけ下げて、所定の温度に近づけるようにするのが望ましい。
【００２２】
また、ネット３１は、バルブ１１の全体を覆う袋状の熱伝導性のある耐熱性部材であり、上端部はカプラ１４に接続されている。ネット２１の網目（空間）の大きさは、バルブ１１が爆縮破壊したときに、破片の落下を防止することができる大きさに設定されている。ネット３１は、バルブ１１の表面及びディンプル部１２に接触する方がコンパクトで見栄えがよいが、接触しなくてもよい。
【００２３】
図１および図２に示すように、前述した無電極放電灯１０を用いる照明器具２０では、無電極放電灯１０のカプラ１４が取付けられるソケット２１及び無電極放電灯１０に高周波電流を供給する点灯装置２２を有しており、外側をケース２４で覆っている。また、無電極放電灯１０からの照明光を前方（図２においては下方）へ反射する反射板２３を有している。
【００２４】
なお、前述したように、バルブ１１が爆縮破壊したときに、無電極放電灯１０に取付けられているネット３１が破片の落下を防止するため、従来のように反射板２３の前端に透過カバー１１３（図９参照）を設ける必要がない。
【００２５】
以上、説明した無電極放電灯１０および照明器具２０によれば、照明器具２０を密閉する必要がなくなり、器具内の温度の上昇を抑えることができるので、ディンプル部（最冷点）１２の放熱性が向上して、光出力の向上を図ることができる。
また、ネット３１は無電極放電灯１０のカプラ１４に取付けられているので、通常の照明器具２０に適用することができる。
【００２６】
（第２実施形態）
次に、本発明の第２実施形態にかかる無電極放電灯１０Ｂおよび照明器具２０を図３に示す。
なお、前述した第１実施形態と共通する部位には同じ符号を付して、重複する説明を省略することとする。また、照明器具２０自体は各実施形態において共通するので、以下の実施形態においては、説明を省略する。
【００２７】
図３に示すように、第２実施形態にかかる無電極放電灯１０Ｂでは、バルブ１１の外表面を飛散防止膜でコーティングするとともに、バルブ１１を支持するカプラ１４に連結されて、バルブ１１を覆うネット３２が設けられている。
【００２８】
バルブ１１の外表面が飛散防止膜でコーティングされており、バルブ１１が爆縮破壊した際でもバルブ１１の破片は大きなものとなるので、網目の大きなネット３２や、ワイヤ状のネット３２を用いても、破片の飛散を防止することができる。
【００２９】
以上、説明した第２実施形態にかかる無電極放電灯１０Ｂおよび照明器具２０によれば、前述した第１実施形態と同様の効果を得ることができる。さらに、網目の大きなネット３２や、ワイヤ状のネット３２を用いたので、ディンプル部（最冷点）１２の放熱性が一層向上するとともに、ネット３２における照明光の透過率が向上し、光出力の向上を図ることができる。
【００３０】
（第３実施形態）
次に、本発明の第３実施形態にかかる無電極放電灯１０Ｃおよび照明器具２０を図４に示す。
なお、前述した第１実施形態あるいは第２実施形態と共通する部位には同じ符号を付して、重複する説明を省略することとする。
【００３１】
図４に示すように、第３実施形態にかかる無電極放電灯１０Ｃでは、バルブ１１を支持するカプラ１４に連結されて、バルブ１１を覆うネット３３が設けられており、ネット３３の先端には、バルブ１１から突出しているディンプル部１２が挿嵌されるキャップ部としての放熱キャップ３３ａが設けられている。
【００３２】
ネット３３は、バルブ１１の全体を覆う袋状の耐熱性部材であり、上端部はカプラ１４に接続されている。ネット２１の網目（空間）の大きさは、バルブ１１が爆縮破壊したときに、破片の落下を防止することができる大きさに設定されている。放熱キャップ３３ａは、ディンプル部１２の形状に対応可能なものであって、熱伝導率が高いものが望ましい。
【００３３】
以上、説明した第３実施形態にかかる無電極放電灯１０Ｃおよび照明器具２０によれば、前述した第１実施形態と同様の効果を得ることができる。さらに、放熱キャップ３３ａによりディンプル部（最冷点）１２の放熱性が一層向上するので、光出力の向上を図ることができる。
【００３４】
（第４実施形態）
次に、本発明の第４実施形態にかかる無電極放電灯１０Ｄおよび照明器具２０を図５に示す。
なお、前述した第１〜第３実施形態と共通する部位には同じ符号を付して、重複する説明を省略することとする。
【００３５】
図５に示すように、第４実施形態にかかる無電極放電灯１０Ｄでは、バルブ１１の外表面を飛散防止膜でコーティングするとともに、バルブ１１を支持するカプラ１４に連結されて、バルブ１１を覆うネット３４が設けられており、ネット３４の先端には、バルブ１１から突出しているディンプル部１２が挿嵌される放熱キャップ３４ａが設けられている。
【００３６】
バルブ１１の外表面は飛散防止膜でコーティングされており、バルブ１１が爆縮破壊した際でもバルブ１１の破片は大きなものとなるので、網目の大きなネット３４や、ワイヤ状のネット３４を用いても、破片の飛散を防止することができる。なお、放熱キャップ３４ａは、ディンプル部１２の形状に対応可能なものであって、熱伝導率が高いものが望ましい。
【００３７】
以上、説明した第４実施形態にかかる無電極放電灯１０Ｄおよび照明器具２０によれば、前述した第１実施形態と同様の効果を得ることができる。また、網目の大きなネット３４や、ワイヤ状のネット３４を用いたので、ディンプル部（最冷点）１２の放熱性が一層向上するとともに、ネット３４における照明光の透過率が向上し、光出力の向上を図ることができる。さらに、放熱キャップ３４ａによりディンプル部（最冷点）１２の放熱性が一層向上するので、光出力の向上を図ることができる。
【００３８】
（第５実施形態）
次に、本発明の第５実施形態にかかる無電極放電灯１０Ｅおよび照明器具２０を図６に示す。
なお、前述した第１〜第４実施形態と共通する部位には同じ符号を付して、重複する説明を省略することとする。
【００３９】
図６に示すように、第５実施形態にかかる無電極放電灯１０Ｅでは、バルブ１１を支持するカプラ１４に連結されて、バルブ１１を覆うネット３５が設けられており、ネット３５の先端には、バルブ１１から突出しているディンプル部１２を外部に露出するための挿通孔３５ａが設けられている。
【００４０】
ネット３５は、バルブ１１の全体を覆う袋状の耐熱性部材であり、上端部はカプラ１４に接続されている。ネット２１の網目（空間）の大きさは、バルブ１１が爆縮破壊したときに、破片の落下を防止することができる大きさに設定されている。なお、挿通孔３５ａは、ディンプル部１２が挿通できる大きさの切欠きとすることができ、形状は円形に限るものではない。
【００４１】
以上、説明した第５実施形態にかかる無電極放電灯１０Ｅおよび照明器具２０によれば、前述した第１実施形態と同様の効果を得ることができる。さらに、ネット３５に設けた挿通孔３５ａからディンプル部（最冷点）１２をネット３５の外に露出させることができ、ディンプル部１２の放熱性が一層向上するので、光出力の向上を図ることができる。
【００４２】
（第６実施形態）
次に、本発明の第６実施形態にかかる無電極放電灯１０Ｆおよび照明器具２０を図７に示す。
なお、前述した第１〜第６実施形態と共通する部位には同じ符号を付して、重複する説明を省略することとする。
【００４３】
図７に示すように、第６実施形態にかかる無電極放電灯１０Ｆでは、バルブ１１の外表面を飛散防止膜でコーティングするとともに、バルブ１１を支持するカプラ１４に連結されて、バルブ１１を覆うネット３６が設けられており、ネット３６の先端には、バルブ１１から突出しているディンプル部１２を外部に露出するための挿通孔３６ａが設けられている。
【００４４】
バルブ１１の外表面は飛散防止膜でコーティングされており、バルブ１１が爆縮破壊した際でもバルブ１１の破片は大きなものとなるので、網目の大きなネット３６や、ワイヤ状のネット３６を用いても、破片の飛散を防止することができる。なお、挿通孔３６ａは、ディンプル部１２が挿通できる大きさの切欠きとすることができ、形状は円形に限るものではない。
【００４５】
以上、説明した第６実施形態にかかる無電極放電灯１０Ｆおよび照明器具２０によれば、前述した第１実施形態と同様の効果を得ることができる。また、網目の大きなネット３６や、ワイヤ状のネット３６を用いたので、ディンプル部（最冷点）１２の放熱性が一層向上するとともに、ネット３６における照明光の透過率が向上し、光出力の向上を図ることができる。さらに、ネット３６に設けた挿通孔３６ａからディンプル部（最冷点）１２をネット３６の外に露出させることができ、ディンプル部１２の放熱性が一層向上するので、光出力の向上を図ることができる。
【００４６】
なお、本発明の無電極放電灯および照明器具は、前述した（各）実施形態に限定されるものでなく、適宜な変形，改良等が可能である。
【図面の簡単な説明】
【００４７】
【図１】本発明の第１実施形態にかかる無電極放電灯および照明器具を示す断面図
【図２】本発明にかかる無電極放電灯および照明器具の斜視図
【図３】本発明の第２実施形態にかかる無電極放電灯および照明器具を示す断面図
【図４】本発明の第３実施形態にかかる無電極放電灯および照明器具を示す断面図
【図５】本発明の第４実施形態にかかる無電極放電灯および照明器具を示す断面図
【図６】本発明の第５実施形態にかかる無電極放電灯および照明器具を示す断面図
【図７】本発明の第６実施形態にかかる無電極放電灯および照明器具を示す断面図
【図８】従来の無電極放電灯を示す側面図
【図９】従来の無電極放電灯を用いた照明器具の断面図
【符号の説明】
【００４８】
１０  無電極放電灯
１１  バルブ
１２  ディンプル部
１４  カプラ
２０  照明器具
３１〜３６  ネット
３３ａ、３４ａ  放熱キャップ（キャップ部）
３５ａ、３６ａ  挿通孔
【図１】
2009238452.tif 000003
【図２】
2009238452.tif 000004
【図３】
2009238452.tif 000005
【図４】
2009238452.tif 000006
【図５】
2009238452.tif 000007
【図６】
2009238452.tif 000008
【図７】
2009238452.tif 000009
【図８】
2009238452.tif 000010
【図９】
2009238452.tif 000011